(57)【要約】【課題】充電極性を自動判断できる貼付型無線充電器を提供すること。【解決手段】貼付型無線充電器は、承載板、レシーブコイル、回路基板及び少なくとも二本のリード線を含む。該承載板の裏面に接着層が設けられ、該レシーブコイルが該承載板内に設けられ、該回路基板が該承載板の一側に設けられ、該回路基板に電力レシーブ回路が設けられ、該電力レシーブ回路が、レシーブ制御回路、共振制御回路、整流回路、制御回路、極性セレクタおよび回路出力端が設けられ、該レシーブ制御回路、共振制御回路、整流回路、制御回路、極性セレクタおよび回路出力端は、順次に互いに電気的に接続され、そのうち、該レシーブ制御回路と該レシーブコイルとの間が電気的に接続され、該少なくとも二本のリード線が該回路基板の一側に設けられ、かつ、該少なくとも二本のリード線と回路基板上の回路出力端とが、互いに電気的に接続される。【選択図】図２
0003140995.tif 000002
【実用新案登録請求の範囲】
【請求項１】
裏面に接着層が設けられた承載板と、
前記承載板内に設けられたレシーブコイルと、
前記承載板の一側に設けられた回路基板と、
前記回路基板には電力レシーブ回路が設けられ、前記電力レシーブ回路が、レシーブ制御回路、共振制御回路、整流回路、制御回路、極性セレクタおよび回路出力端が設けられ、前記レシーブ制御回路、共振制御回路、整流回路、制御回路、極性セレクタおよび回路出力端は、順次に互いに電気的に接続され、そのうち、前記レシーブ制御回路と前記レシーブコイルとの間が電気的に接続され、
前記回路基板の一側に設けられ、かつ、前記回路基板上の回路出力端と互いに電気的に接続された少なくとも二本のリード線とを含み、充電極性を自動判断できる貼付型無線充電器を構成したことを特徴とする、
貼付型無線充電器。
【請求項２】
前記承載板の接着層は繰り返し貼付型のテープで繰り返して使用可能であることを特徴とする、請求項１に記載の貼付型無線充電器。
【請求項３】
前記回路基板は、フレキシブル印刷回路基板を使用していることを特徴とする、請求項１に記載の貼付型無線充電器。
【請求項４】
前記少なくとも二本のリード線の一端は、極性接続パッドを夫々設け、導通充電のため電池の極性ノードに接触することを特徴とする、請求項１に記載の貼付型無線充電器。
【請求項５】
前記回路基板の電力レシーブ回路うちの極性セレクタは、４つのスイッチ及び電池を設けており、その中の２つのスイッチは、一側に互いに直列して設けられ、他の２つのスイッチも、他一側に互いに直列して設けられ、両側にそれぞれ直列する２つのスイッチは、制御回路に並列して設けられ、また、そのうち一側の２つのスイッチの間には極性ノードが設けられ、他一側の２つのスイッチの間には他の極性ノードが設けられ、前記電池は、前記２つの極性ノードの間に電気的に接続し、かつ前記２つの極性ノードは、前記回路出力端に接続され、前記回路出力端は、充電電池の極性を自動的に判断し、電池極性が逆接続される時にもたらす電池の損害を避け、電池を充電するため、該少なくとも二本のリード線により充電電池に電気的に接続されることを特徴とする、請求項１に記載の貼付型無線充電器。
【請求項６】
前記極性セレクタのスイッチは、Ｐチャネル増強型ＭＯＳＦＥＴ、Ｎチャネル増強型ＭＯＳＦＥＴのうち何れか一つを採用してすることを特徴とする、請求項５に記載の貼付型無線充電器。
【請求項７】
前記２つのスイッチの間に保護スイッチがさらに直列して設けられ、前記保護スイッチは、前記制御回路に電気的に接続され充電保護を形成することを特徴とする、請求項５に記載の貼付型無線充電器。
【請求項８】
前記極性セレクタの保護スイッチは、Ｐチャネル増強型ＭＯＳＦＥＴ、Ｎチャネル増強型ＭＯＳＦＥＴのうち何れか一つを採用してすることを特徴とする、請求項７に記載の貼付型無線充電器。
【考案の詳細な説明】
【技術分野】
【０００１】
本考案は電池及び様々な電子製品等に適用可能な貼付型無線充電器に係り、特に、承載板、レシーブコイル、回路基板及び少なくとも二本のリード線を組み合せたことにより、無線充電の便利性や、ケース遮蔽に限らない高充電効率を有し、かつ、充電端の極性を自動判断でき、繰り返し貼り付けて使用可能であらゆる場所で充電でき、宣伝広告等の効果を備えた貼付型無線充電器に関するものである。
【背景技術】
【０００２】
無線充電の発展に伴い、携帯電話や、ＭＰ３、デジタルカメラ等の携帯型の３Ｃ電器が、電源の転送およびレシーブを行うためのレシーバを装備することで、使用者が室外で電器を使用するに際して、一時的に電源が無くなった時において、あらゆる場所で電源コンセントを探して充電する必要がなくなる。
現在、一般の無線充電器のレシーブ端装置は、搭載電池のケース内部に設けられるが（例えば、携帯電話の電池内に取り付けられた無線充電レシーバ）、普遍的な一つの問題が存在する。
すなわち、電子製品の電池端が無線電力をレシーブする時に、鉄や、アルミニウム、電気めっき等の材質から作製したケースによって、無線充電の実行が干渉されるために、無線充電の効率が好ましくなくなり、無線充電の使用普及性に影響を与えてしまう。
【０００３】
本考案は上記した従来の不便を解消できる貼付型無線充電器を提供するために成されたものである。
【考案の開示】
【考案が解決しようとする課題】
【０００４】
本考案の主な目的は、承載板、レシーブコイル、回路基板及び少なくとも二本のリード線の組合設計により、該レシーブコイルが電力発射端の電力をレシーブでき、無線充電の目的を達成し、該承載板が接着層を設け、電池のケース上に貼り付けられ、また、リード線を設け、電池の極性端に電気的に接続され、電力を無線でレシーブし且つ電力を電池に直接的に充電する効果を達成し、無線レシーバを電池のケース内に設けることで、ケースに遮蔽されることによって充電効率が低下される欠点を避けることができ、本考案は、電力を無線でレシーブし且つ電池ケースに遮蔽されないような効果を備え、本考案の実用性および便利性を増加させる貼付型無線充電器を提供することにある。
【０００５】
本考案の次の目的は、承載板、レシーブコイル、回路基板及び少なくとも二本のリード線の組合設計により、該回路基板の電力レシーブ回路に極性セレクタが設けられ、充電端の極性を自動的に判断でき、電池極性が逆接続される時にもたらす電池の損害を避けることができ、充電保護の効果を達し、本考案の実用性および便利性を増加させる貼付型無線充電器を提供することにある。
【０００６】
本考案の他の目的は、承載板、レシーブコイル、回路基板及び少なくとも二本のリード線の組合設計により、該承載板上にパターンを別に印刷し、宣伝広告の効果を備え、本考案の実用性および便利性を増加させる貼付型無線充電器を提供することにある。
【課題を解決するための手段】
【０００７】
前記目的を達成するために、本考案は、承載板、レシーブコイル、回路基板及び少なくとも二本のリード線を含む。前記承載板の裏面に接着層が設けられ、前記レシーブコイルが前記承載板内に設けられ、前記回路基板が前記承載板の一側に設けられ、前記回路基板に電力レシーブ回路が設けられ、前記電力レシーブ回路が、レシーブ制御回路、共振制御回路、整流回路、制御回路、極性セレクタおよび回路出力端が設けられ、前記レシーブ制御回路、共振制御回路、整流回路、制御回路、極性セレクタおよび回路出力端は、順次に互いに電気的に接続され、そのうち、前記レシーブ制御回路と前記レシーブコイルとの間が電気的に接続され、前記少なくとも二本のリード線が前記回路基板の一側に設けられ、かつ、前記少なくとも二本のリード線と前記回路基板上の回路出力端とが、互いに電気的に接続されることによって、充電極性を自動判断できる貼付型無線充電器を構成した。
【考案の効果】
【０００８】
本考案は電力を電池に充電できることの他に、無線レシーバを電池のケース内に設けることで充電効率の低下を解消できるとともに、実用性および便利性を増加させることができる。
【考案を実施するための最良の形態】
【０００９】
以下、図面を参照しながら本考案の実施例について詳しく説明する。
図１〜図４に示すように、本考案に係る貼付型無線充電器１は、承載板２０、レシーブコイル３０、回路基板４０及び少なくとも二本のリード線６０を含む。
該承載板２０の裏面に接着層２１が設けられ、該接着層２１は繰り返し貼付型のテープで繰り返して使用可能である。
該レシーブコイル３０が該承載板２０内に設けられる。該回路基板４０が該承載板２０の一側に設けられる。該回路基板４０に電力レシーブ回路５０が設けられる。
該電力レシーブ回路５０は、レシーブ制御回路５１、共振制御回路５２、整流回路５３、制御回路５４、極性セレクタ５５および回路出力端５６を具備する。
該レシーブ制御回路５１、共振制御回路５２、整流回路５３、制御回路５４、極性セレクタ５５および回路出力端５６は、順に互いに電気的に接続される。
そのうち、該レシーブ制御回路５１と該レシーブコイル３０との間が電気的に接続され、該少なくとも二本のリード線６０が該回路基板４０の一側に設けられ、かつ、該少なくとも二本のリード線６０と該回路基板４０上の回路出力端５６とが、互いに電気的に接続されることによって、充電極性を自動判断できる貼付型無線充電器１を構成する。
【００１０】
該回路基板４０としては、例えばフレキシブル印刷回路基板（ＦＰＣ：Ｆｌｅｘｉｂｌｅ  Ｐｒｉｎｔ  Ｃｉｒｃｕｉｔ）を使用しても良い。
少なくとも二本のリード線６０の一端は、極性接続パッド６１を夫々設け、導通充電のため電池の極性ノードに接触する。
図３を参照すると、該回路基板４０の電力レシーブ回路５０うちの極性セレクタ５５は、４つのスイッチＱ１、Ｑ２、Ｑ３、Ｑ４及び電池５５１を設けており、その中の２つのスイッチＱ１、Ｑ４は、一側に互いに直列して設けられ、他の２つのスイッチＱ２、Ｑ３も、他一側に互いに直列して設けられる。
両側にそれぞれ直列する２つのスイッチＱ１、Ｑ４およびＱ２、Ｑ３は、制御回路５４に並列して設けられる。
また、そのうち一側の２つのスイッチＱ１、Ｑ４の間には極性ノードＡが設けられる。
他の一側の２つのスイッチＱ２、Ｑ３の間には他の極性ノードＢが設けられる。
電池５５１は、該２つの極性ノードＡ、Ｂの間に電気的に接続している。
かつ２つの極性ノードＡ、Ｂは、該回路出力端５６に接続される。
該回路出力端５６は、充電電池７０の極性を自動的に判断し、充電電池７０を充電するため、該少なくとも二本のリード線６０により充電電池７０の極性端にさらに電気的に接続される。
該極性セレクタ５５のスイッチＱ１〜Ｑ４は、例えばＰチャネル増強型ＭＯＳＦＥＴ（ＰＭＯＳ：Ｐ−ｃｈａｎｎｅｌ  ｅｎｈａｎｃｅｍｅｎｔ  ＭＯＳＦＥＴ）、Ｎチャネル増強型ＭＯＳＦＥＴ（ＮＭＯＳ：Ｎ−ｃｈａｎｎｅｌ  ｅｎｈａｎｃｅｍｅｎｔ  ＭＯＳＦＥＴ）のうち何れか一つを採用しても良いが、本実施例では、該２つのスイッチＱ１、Ｑ２として、Ｐチャネル増強型ＭＯＳＦＥＴ（ＰＭＯＳ：Ｐ−ｃｈａｎｎｅｌ  ｅｎｈａｎｃｅｍｅｎｔ  ＭＯＳＦＥＴ）、該２つのスイッチＱ３、Ｑ４は、Ｎチャネル増強型ＭＯＳＦＥＴ（ＮＭＯＳ：Ｎ−ｃｈａｎｎｅｌ  ｅｎｈａｎｃｅｍｅｎｔ  ＭＯＳＦＥＴ）を採用している。
【００１１】
図３を参照すると、極性セレクタ５５が実際に動作する時に、極性ノードＡの電圧が極性ノードＢより大きいと、該スイッチＱ１、Ｑ３がオンされ、充電電流は、該制御回路５４から該スイッチＱ１、Ｑ３、及び極性ノードＡ、Ｂを介して該回路出力端５６に接続される（図５及び図６参照）。
回路出力端５６は、少なくとも二本のリード線６０に電気的に接続される。
少なくとも二本のリード線６０の他一端の極性接続パッド６１は、さらに、充電電池７０の極性端に電気的に接続されて、充電廻路を形成し、該充電電池７０を充電する目的を達する。
逆に、極性ノードＢの電圧が極性ノードＡより大きいと、該スイッチＱ２、Ｑ４がオンされ、該制御回路５４の充電電流は、該スイッチＱ２、Ｑ４を介して充電電池７０と連設して充電廻路を形成し、該充電電池７０を充電するように代えられる。
このように、該極性セレクタ５５の設置により、少なくとも二本のリード線６０の極性接続パッド６１が接続する充電電池７０の極性端を自動的に判断することができて、充電回路の導通廻路を変換して、電池極性が逆に接続される時による充電電池７０の損壊を避けて、充電の保護および充電作用を有するといった効果を達成することができる。
【００１２】
また、図４を参照すると、該極性セレクタ５５が実際に実施する時に、該スイッチＱ１及びＱ３の間に保護スイッチＱ１３、該スイッチＱ２及びＱ４の間に保護スイッチＱ２４がさらに直列して設けられ、該保護スイッチＱ１３、Ｑ２４は、該制御回路５４に電気的に接続される。
極性セレクタ５５の保護スイッチＱ１３、Ｑ２４は、例えばＰチャネル増強型ＭＯＳＦＥＴ（ＰＭＯＳ：Ｐ−ｃｈａｎｎｅｌ  ｅｎｈａｎｃｅｍｅｎｔ  ＭＯＳＦＥＴ）、Ｎチャネル増強型ＭＯＳＦＥＴ（ＮＭＯＳ：Ｎ−ｃｈａｎｎｅｌ  ｅｎｈａｎｃｅｍｅｎｔ  ＭＯＳＦＥＴ）のうち何れか一つを採用しても良いが、本実施例では、該２つの保護スイッチＱ１３、Ｑ２４は、Ｎチャネル増強型ＭＯＳＦＥＴ（ＮＭＯＳ：Ｎ−ｃｈａｎｎｅｌ  ｅｎｈａｎｃｅｍｅｎｔ  ＭＯＳＦＥＴ）を採用している。
充電する時に、該極性ノードＡの電圧が極性ノードＢより大きいと、駆動電圧（本実施例では、５Ｖ）は、該スイッチＱ３および保護スイッチＱ１３のゲート端の間に互いに接続された回路接続線Ｄに作用し、該スイッチＱ１、Ｑ３をオンさせ、上記と同じように（図３）、該極性ノードＡ、Ｂは、該回路出力端５６に接続される。該回路出力端５６は、二本のリード線６０により充電電池７０に電気的に接続され充電廻路を形成する。
逆に、極性ノードＢの電圧が極性ノードＡより大きいと、該駆動電圧（本実施例では５Ｖ）は、該スイッチＱ４および保護スイッチＱ２４のゲート端の間に互いに接続された回路接続線Ｃに作用して、該スイッチＱ２、Ｑ４をオンさせ、充電電池７０と充電廻路を形成して、充電電池７０を充電する。
該保護スイッチＱ１３、Ｑ２４は、該充電電池７０（図５、図６参照）の充電の保護を図り、充電電流の戻りによる充電を避けることができる。
【００１３】
また、図５〜図６は、本考案の使用状態を示す。
本考案に係る貼付型無線充電器１は、承載板２０、レシーブコイル３０、回路基板４０及び少なくとも二本のリード線６０の組合せにより構成されるもので、承載板２０の接着層２１で該貼付型無線充電器１を充電電池７０のケース（図５うちの携帯電話の裏面の電池ケース）に直接的に貼り付けることができ、該二本のリード線６０の極性接続パッド６１と携帯電話の充電電池７０の極性端とが電気接触することによって、充電の接続を完了する。
電源発射端８０が電力を発射する時に、該承載板２０上のレシーブコイル３０により電力をレシーブできて、該回路基板４０上の電力レシーブ回路５０のレシーブ制御回路５１に転送し、該共振制御回路５２、整流回路５３及び制御回路５４により充電が必要とする直流電流を形成し、さらに該極性セレクタ５５に電気的に接続され、該極性セレクタ５５の極性ノードＡ、Ｂにより該回路基板４０上の回路出力端５６に接続される。さらに、該二本のリード線６０の一端により該回路出力端５６に電気的に接続され、該二本のリード線６０の他一端に極性接続パッド６１がそれぞれ設けられ、充電電池７０の極性ノードと電気的に接続され充電できるようになる。
かつ、本考案は極性セレクタ５５を設けたので、接続した充電電池７０端の極性を自動判断することができて、電池極性が逆に接続された時における充電電池７０の損壊を回避して、電池充電をスムーズに用いるとともに、該二本のリード線６０の極性接続パッド６１と充電電池７０の電気接続により、従来の無線レシーバを該充電電池７０のケース内に設けたときに、充電電池７０のケース（例えば、携帯電話の電池カバー）に遮蔽されることによって充電効率が低下する欠点を解消することができる。
【００１４】
図１〜図７に示すように、本考案に係る貼付型無線充電器１の特徴は、承載板２０、レシーブコイル３０、回路基板４０及び少なくとも二本のリード線６０の組合設計により、該レシーブコイルの設置でが電力発射端８０の電力を無線でレシーブする目的を達成する。
また、該回路基板４０の電力レシーブ回路５０に極性セレクタ５５が設けられ、充電の極性を自動的に判断でき、電池極性が逆に接続された時にもたらされる充電電池７０の損傷を避けることができて、充電保護の目的を達できる。
さらに、該承載板２０の接着層２１により該充電電池７０のケース（図５に示すように、携帯電話の裏面の電池ケース）に直接的に貼り付けることができる。
さらに該二本のリード線６０と携帯電話の充電電池７０の極性端とが電気接触することによって充電し、無線レシーバを該充電電池７０のケース内に設けたときに、充電電池７０のケースに遮蔽されることによって充電効率が低下される欠点を避けることができる。
本考案は、より好ましい無線充電効果を有する。
さらに、該承載板２０の接着層２１は、繰り返し貼り付け型のテープを使用するので、繰り返し貼り付けて使用可能並びにあらゆる場所に貼り付けることができる。
本考案に係る貼付型無線充電器１は、室外および移動中等の場合に充電できる。
あらゆる場所で充電できるという効果を備えている。
承載板２０上にパターンを別に印刷すると（図７に示すように）、本考案に係る貼付型無線充電器１が電池（例えば、携帯電話の充電電池７０）のケースに貼り付けて充電する時に、宣伝広告の効果を発揮できる。
以上のように、本考案は、無線充電の便利性や、ケース遮蔽に限らない高充電効率を有し、かつ、充電端の極性を自動判断でき、繰り返し貼り付けて使用可能で、宣伝広告等の効果を備え、本考案の実用性および便利性を増加させる。
【００１５】
以上は単に本考案の実施例を説明するための記載に過ぎず、本考案の特徴を限定するものではない。当業者が適宜行なう変換や修飾等も本考案に含まれるべきことは言うまでもないことである。
【図面の簡単な説明】
【００１６】
【図１】本考案の実施例を示す外観斜視図である。
【図２】本考案の実施例を示す構造ブッロク図である。
【図３】本考案の実施例の極性セレクタを示す回路図である。
【図４】本考案の実施例の極性セレクタを示す他の回路図である。
【図５】本考案の実施例の使用状態を示す図である。
【図６】本考案の実施例の使用運行を示すブロック図である。
【図７】本考案の実施例を示す他の外観図である。
【符号の説明】
【００１７】
１・・・・・・貼付型無線充電器
２０・・・・・承載板
２１・・・・・接着層
３０・・・・・レシーブコイル
４０・・・・・回路基板
５０・・・・・電力レシーブ回路
５１・・・・・レシーブ制御回路
５２・・・・・共振制御回路
５３・・・・・整流回路
５４・・・・・制御回路
５５・・・・・極性セレクタ
５５１・・・・電池
５６・・・・・回路出力端
６０・・・・・リード線
６１・・・・・極性接続パッド
７０・・・・・充電電池
８０・・・・・電力発射端
Ｑ１、Ｑ２、Ｑ３、Ｑ４・・スイッチ
Ａ、Ｂ・・・・極性ノード
Ｑ１３、Ｑ２４・・・・・・保護スイッチ
Ｃ、Ｄ・・・・回路接続線
【図１】
0003140995.tif 000003
【図２】
0003140995.tif 000004
【図３】
0003140995.tif 000005
【図４】
0003140995.tif 000006
【図５】
0003140995.tif 000007
【図６】
0003140995.tif 000008
【図７】
0003140995.tif 000009